(57)【要約】【課題】既存の住宅の便利な位置に邪魔にならないように配置する。便利な位置に配置しながら、使用しない状態では地面をフラットにして、庭や玄関や車庫などを広く使用する。【解決手段】散水装置は、地面９０に開口して地中に設けた収納空間９１に配設してなる上方開口の地中ケース１と、この地中ケース１の開口部１０を開閉するように、地中ケース１に連結してなる開閉蓋２と、地中ケース１に収納されて、回転ハンドル３０で回転されるホースリール３と、このホースリール３に巻き取られて、一端を水道８０に、他端を散水ノズル４１に連結してなるホース４とを備えている。散水装置は、ホースリール３が地中ケース１に固定されて地中ケース１に収納され、あるいは、開閉蓋２を介して地中ケース１に連結されて、開閉蓋２が閉じられる状態では地中ケース１に収納されて、開閉蓋２が開かれる状態では地中ケース１から引き上げられるようにしている。【選択図】図１
2011256679.tif 000002
【特許請求の範囲】
【請求項１】
地面(90)に開口して地中に設けてなる収納空間(91)に配設してなる上方開口の地中ケース(1)と、この地中ケース(1)の開口部(10)を開閉するように、地中ケース(1)に連結してなる開閉蓋(2)と、前記地中ケース(1)に収納してなる回転ハンドル(30)で回転されるホースリール(3)と、このホースリール(3)に巻き取られて、一端が開閉弁(81)を介して水道(80)に連結されて、他端を散水ノズル(41)に連結してなる所定の長さのホース(4)とを備え、
前記ホースリール(3)が地中ケース(1)に固定されて地中ケース(1)に収納され、あるいは開閉蓋(2)を介して地中ケース(1)に連結されて、開閉蓋(2)が閉じられる状態では地中ケース(1)に収納されて、開閉蓋(2)が開かれる状態では地中ケース(1)から引き上げられるようにしてなる散水装置。
【請求項２】
前記開閉蓋(2)が回転軸(20)を介して地中ケース(1)に開閉自在に連結されると共に、この開閉蓋(2)に対して直交する姿勢で連結されて、開閉蓋(2)を閉じる状態では地中ケース(1)の周壁(11)の内面と平行な垂直姿勢となり、開閉蓋(2)を垂直姿勢に開く状態では水平姿勢となるベースプレート(21)と、このベースプレート(21)を垂直姿勢に保持するストッパ(7)とを備え、
前記ホースリール(3)がベースプレート(21)に固定されて、開閉蓋(2)が地中ケース(1)の開口部(10)を閉塞する状態でベースプレート(21)を垂直姿勢として、ホースリール(3)を地中ケース(1)に収納し、開閉蓋(2)が垂直姿勢で地中ケース(1)の開口部(10)を開く状態では、ベースプレート(21)を地中ケース(1)の開口部(10)に水平姿勢に配置して、ホースリール(3)を地中ケース(1)から引き上げるようにしてなる請求項１に記載される散水装置。
【請求項３】
前記ホースリール(3)が、巻き取り軸(32)を開閉蓋(2)を地中ケース(1)に連結している回転軸(20)と直交する姿勢でベースプレート(21)に連結してなる請求項２に記載される散水装置。
【請求項４】
前記開閉蓋(2)が回転軸(20)を介して地中ケース(1)に開閉自在に連結されると共に、この開閉蓋(2)の内面に前記ホースリール(3)が固定されて地中ケース(1)に収納され、
開閉蓋(2)が９０度回転されて、垂直姿勢に開かれる状態でストッパ(7)でこの姿勢に保持され、ホースリール(3)を開閉蓋(2)の側面に配置して、地中ケース(1)から引き出されるようにしてなる請求項１に記載される散水装置。
【請求項５】
前記開閉蓋(2)が回転軸(20)を介して地中ケース(1)に開閉自在に連結されると共に、この開閉蓋(2)の内面に前記ホースリール(3)が固定されて地中ケース(1)に収納され、
開閉蓋(2)が１８０度回転されて、水平姿勢に開かれる状態で、ホースリール(3)を開閉蓋(2)の上面に配置して、地中ケース(1)から引き出されるようにしてなる請求項１に記載される散水装置。
【請求項６】
前記開閉蓋(2)が水平姿勢で上下方向に移動できるようにガイド機構(5)を介して地中ケース(1)に連結されて、地中ケース(1)の開口部(10)を開閉し、さらに、開閉蓋(2)の下面にホースリール(3)を固定しており、
開閉蓋(2)が地中ケース(1)の開口部(10)を閉塞する状態で、ホースリール(3)が地中ケース(1)に収納され、開閉蓋(2)が引き上げられて地中ケース(1)の開口部(10)を開く状態では、開閉蓋(2)を介してホースリール(3)が地中ケース(1)から引き上げられるようにしてなる請求項１に記載される散水装置。
【発明の詳細な説明】
【技術分野】
【０００１】
本発明は、地中に収納されて庭木への散水や洗車等に用いられる散水装置に関する。
【背景技術】
【０００２】
先端に散水ノズルを連結しているホースをホースリールに巻いた散水装置は市販されている。この散水装置は、ホースの後端を水道の蛇口に連結して使用される。この散水装置は、ホースを連結している蛇口を開き、ホースをホースリールから引き出して、先端の散水ノズルで庭木に散水し、あるいは洗車し、あるいはまた、汚れ物の洗浄等に使用される。
【０００３】
この散水装置は、使用しない状態にあっては、庭、玄関、車庫などに放置されて邪魔になる。また、ホースを引っ張って引き出すと、ホースリールが移動して簡単に引き出しできない欠点がある。さらに、ホースをホースリールに巻くときにも、ホースリールを回転ハンドルで回転すると軽くて移動しやすく、簡単に綺麗にホースをホースリールに巻き取りできない。
【０００４】
以上の欠点を解消することを目的として、塀の内部に収納する散水装置が開発されている。（特許文献１参照）
この散水装置は、塀の内部にホースリールを収納している。この散水装置は、塀表面に開口部のある収納空間を設けて開口部に開閉扉を設け、収納空間にホースリールを配置している。
【先行技術文献】
【特許文献】
【０００５】
【特許文献１】特開２００３−１７６６４４号公報
【発明の概要】
【発明が解決しようとする課題】
【０００６】
以上の散水装置は、ホースリールを塀に収納して邪魔にならないように配置できる。しかしながら、この散水装置は、塀の内部に収納するので、薄い塀には収納できない。また、薄い塀に収納する散水装置は、ホースリールの厚さに制約を受けて、長いホースを収納できない。さらに、この構造の散水装置は、塀を新設するときに塀に設けることはできるが、既存の塀を改造して設置できない欠点がある。さらにまた、散水装置を配置する位置が塀の位置に制限されるので、最も便利に使用できる位置に配置できないことがある。
【０００７】
本発明は、この欠点を解決することを目的に開発されたものである。本発明の重要な目的は、既存の住宅の便利な位置に邪魔にならないように配置できる散水装置を提供することにある。
また、本発明の他の大切な目的は、使用に便利な位置に配置しながら、使用しない状態にあっては地面をフラットにして、庭や玄関や車庫などを広く使用できる散水装置を提供することにある。
さらにまた、本発明の他の大切な目的は、ホース内の水の凍結を防止し、かつホースリールを盗難からも防止し、なおかつ、回転ハンドルを回転するときにホースリールが移動するのを防止して、ホースを簡単に引き出し、また巻き付けできる散水装置を提供することにある。
【課題を解決するための手段及び発明の効果】
【０００８】
本発明の散水装置は、地面９０に開口して地中に設けてなる収納空間９１に配設してなる上方開口の地中ケース１と、この地中ケース１の開口部１０を開閉するように、地中ケース１に連結してなる開閉蓋２と、地中ケース１に収納されて、回転ハンドル３０で回転されるホースリール３と、このホースリール３に巻き取られて、一端が開閉弁８１を介して水道８０に連結されて、他端を散水ノズル４１に連結してなる所定の長さのホース４とを備えている。散水装置は、ホースリール３が地中ケース１に固定されて地中ケース１に収納され、あるいは、開閉蓋２を介して地中ケース１に連結されて、開閉蓋２が閉じられる状態では地中ケース１に収納されて、開閉蓋２が開かれる状態では地中ケース１から引き上げられるようにしている。
【０００９】
以上の散水装置は、既存の住宅の便利な位置に邪魔にならないように配置できる特徴がある。それは、塀の内部に収納していた従来の散水装置のように、塀の位置に制約されず、地中に収納空間を設けて、ここに地中ケースを配置して、敷地内のどこにでも配置できるからである。
【００１０】
また、以上の散水装置は、使用に便利な位置に配置できるにもかかわらず、使用しない状態にあっては地面をフラットにして、庭や玄関や車庫などを広く使用できる特徴も実現する。それは、使用しない状態で、地中に配置して地面をフラットにできるからである。
【００１１】
さらにまた、以上の散水装置は、ホース内の水の凍結を防止し、かつホースリールを盗難からも防止し、なおかつ、回転ハンドルを回転するときにホースリールが移動するのを防止して、ホースを簡単に引き出し、また、巻き付けできる特徴も実現する。
【００１２】
本発明の散水装置は、開閉蓋２を回転軸２０を介して地中ケース１に開閉自在に連結すると共に、この開閉蓋２に対して直交する姿勢で連結されて、開閉蓋２を閉じる状態では地中ケース１の周壁１１の内面と平行な垂直姿勢となり、開閉蓋２を垂直姿勢に開く状態では水平姿勢となるベースプレート２１と、このベースプレート２１を垂直姿勢に保持するストッパ７とを備えて、ホースリール３をベースプレート２１に固定することができる。この散水装置は、開閉蓋２が地中ケース１の開口部１０を閉塞する状態でベースプレート２１を垂直姿勢として、ホースリール３を地中ケース１に収納し、開閉蓋２を垂直姿勢として地中ケース１の開口部１０を開く状態では、ベースプレート２１を地中ケース１の開口部１０に水平姿勢に配置して、ホースリール３を地中ケース１から引き上げることができる。
以上の散水装置は、使用しない時には、ホースリールを地中ケースに便利に収納しながら、使用時には、開閉蓋を開いてホースリールを地中ケースから簡単に引き上げて便利に使用できる。
【００１３】
本発明の散水装置は、ホースリール３の巻き取り軸３２を、開閉蓋２を地中ケース１に連結している回転軸２０と直交する姿勢として、ホースリール３をベースプレート２１に連結することができる。
以上の散水装置は、ホースリールの横幅に応じてベースプレートを短くし、短いベースプレートを収納する地中ケースを浅く設計することもできる。
【００１４】
本発明の散水装置は、開閉蓋２を回転軸２０を介して地中ケース１に開閉自在に連結すると共に、この開閉蓋２の内面にホースリール３を固定して地中ケース１に収納することができる。この散水装置は、開閉蓋２を９０度回転して垂直姿勢に開く状態でストッパ７でこの姿勢に保持し、ホースリール３を開閉蓋２の側面に配置して、地中ケース１から引き出すことができる。
以上の散水装置は、使用しない時には、ホースリールを地中ケースに便利に収納しながら、使用時には、開閉蓋を開いてホースリールを地中ケースから引き上げて便利に使用できる。とくに、開閉蓋の内面にホースリールを固定するので、簡単な構造でホースリールを地中ケースから引き出しできる。
【００１５】
本発明の散水装置は、開閉蓋２を回転軸２０を介して地中ケース１に開閉自在に連結すると共に、この開閉蓋２の内面にホースリール３を固定して地中ケース１に収納することができる。この散水装置は、開閉蓋２を１８０度回転して水平姿勢に開かれる状態でホースリール３を開閉蓋２の上面に配置して、地中ケース１から引き出すことができる。
以上の散水装置は、使用しない時には、ホースリールを地中ケースに便利に収納しながら、使用時には、開閉蓋を開いてホースリールを地中ケースから引き上げて便利に使用できる。とくに、開閉蓋の内面にホースリールを固定するので、簡単な構造でホースリールを地中ケースから引き出しできると共に、開閉蓋を１８０度回転して水平姿勢とするので、極めて簡単にホースリールを固定してなる面を水平姿勢に保持できる。
【００１６】
本発明の散水装置は、開閉蓋２を水平姿勢で上下方向に移動できるようにガイド機構５を介して地中ケース１に連結して地中ケース１の開口部１０を開閉し、さらに開閉蓋２の下面にホースリール３を固定することができる。この散水装置は、開閉蓋２が地中ケース１の開口部１０を閉塞する状態で、ホースリール３を地中ケース１に収納し、開閉蓋２を引き上げて地中ケース１の開口部１０を開く状態で、開閉蓋２を介してホースリール３を地中ケース１から引き上げることができる。
以上の散水装置は、使用しない時には、ホースリールを地中ケースに便利に収納しながら、使用時には、開閉蓋を引き上げて、ホースリールを地中ケースから引き上げて便利に使用できる。
【図面の簡単な説明】
【００１７】
【図１】本発明の一実施例にかかる散水装置の断面図である。
【図２】本発明の他の実施例にかかる散水装置の斜視図である。
【図３】図２に示す散水装置の断面図である。
【図４】本発明の他の実施例にかかる散水装置の断面図である。
【図５】本発明の他の実施例にかかる散水装置の斜視図である。
【図６】本発明の他の実施例にかかる散水装置の断面図である。
【図７】ホースリールの一例を示す縦断面図である。
【発明を実施するための形態】
【００１８】
以下、本発明の実施例を図面に基づいて説明する。ただし、以下に示す実施例は、本発明の技術思想を具体化するための散水装置を例示するものであって、本発明は散水装置を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
図１ないし図６に示す散水装置は地中に配設される。この散水装置は、地面９０に開口するように地中に設けている収納空間９１に配設される上方開口の地中ケース１と、この地中ケース１の開口部１０を開閉するように、地中ケース１に連結している開閉蓋２と、地中ケース１に収納している回転ハンドル３０で回転されるホースリール３と、このホースリール３に巻き取られて、一端が開閉弁８１を介して水道８０に連結されて、他端を散水ノズル４１に連結してなる所定の長さのホース４とを備える。
【００２０】
図１ないし図５の散水装置は、ホースリール３を開閉蓋２に連結して、開閉蓋２を閉じる状態ではホースリール３を地中ケース１に収納し、開閉蓋２を開く状態ではホースリール３を地中ケース１から引き上げている。図６の散水装置は、ホースリール３を地中ケース１の内部に収納してこれに固定し、開閉蓋２を開いてホースリール３からホース４を引き出して使用する。
【００２１】
地中ケース１は、四角形の底板１２の周囲に周壁１１を設けて、上方を開口する四角形の箱形としている。地中ケース１は、金属ケースやプラスチックケースで製作される。地中ケース１は、周壁１１の上縁を地面９０と同一水平面として、地中に埋設される。地中ケース１は周壁１１の高さを３０ｃｍ〜５０ｃｍ、底板１２の一辺を３０ｃｍ〜５０ｃｍとしている。図１、図４、及び図６の地中ケース１は、周壁１１の上縁に、外側に水平方向に突出する水平プレート１３を設けている。この地中ケース１は、水平プレート１３を地面９０と同一水平面に位置して、地面９０に設けた収納空間９１に配置される。さらに、図に示す地中ケース１は、底板１２に水抜穴１９を設けている。図の地中ケース１は、底板１２を貫通する複数の貫通孔を開口して水抜穴１９としている。このように、底に水抜穴１９を有する地中ケース１は、ケース内に浸入した水を水抜穴１９から排水して、ケース内に水が溜まるのを有効に防止できる。さらに、地中ケースは、底板を傾斜面として、最も低くなる部分に水抜穴を設けることもできる。この地中ケースは、ケース内に浸入した水を傾斜に沿って流下させて水抜穴から効率よく排水できる。
【００２２】
地中ケース１は、図４に示すように、周壁１１を下窄み状として、地中から簡単に引き抜きできる。図４の地中ケース１は、回転軸２０を連結している周壁１１と対向する周壁１１を下部に向かって内側に傾斜する形状として、下窄み状としている。この地中ケース１は、ホースリール３の出し入れに邪魔にならない位置を傾斜させるので、地中ケース１の開口部１０を大きくすることなく下窄み状にできる。図４において紙面と平行な両側の周壁は、両方を傾斜させて下窄み状とし、あるいは一方の周壁を傾斜させて下窄み状とすることができる。
【００２３】
図１ないし図４の地中ケース１は、回転軸２０を介して開閉蓋２を開閉自在に連結している。図１ないし図３の地中ケース１は、周壁１１の内面に、開閉蓋２を開閉できるように連結する回転軸２０を挿通する一対の連結リブ１５を内面に突出して設けている。連結リブ１５は、ひとつの周壁１１の内面に設けている。一対の連結リブ１５は、回転軸２０を水平方向に挿通する連結穴１６を設けている。この地中ケース１は、連結リブ１５の連結穴１６に回転軸２０を挿通して、開閉蓋２を開閉できるように連結できる。ただし、開閉蓋２は、図４に示すように、蝶番２３を介して地中ケース１に開閉できるように連結することもできる。この地中ケース１も、蝶番２３の回転軸２０を介して開閉蓋２を開閉自在に連結される。
【００２４】
さらに、図１ないし図３、図５、及び図６の地中ケース１は、周壁１１の上端面の内側に、一段低くなる段差低部１４を設けている。段差低部１４は、水平姿勢に閉じられる開閉蓋２を載せることができる形状としている。この地中ケース１は、水平姿勢に閉じられる開閉蓋２の外周縁を下から支持して、開閉蓋２の変形を防止する。したがって、開閉蓋２の耐荷重を大きくできる。以上の地中ケース１は、周壁１１の上端面に段差低部１４を設けているが、図４に示すように、周壁１１の内側でその上部に支持リブ１７を設け、この支持リブ１７に閉じた開閉蓋２を載せる構造として、開閉蓋２を下面で支持することもできる。
【００２５】
図１ないし図４の開閉蓋２は、回転軸２０を介して地中ケース１に開閉できるように連結している。この開閉蓋２は、車などが乗っても破損しないように、強靱なプラスチックや金属プレートで製作される。図１ないし図３の開閉蓋２は、下面に突出する突出部２５に回転軸２０を挿通して、回転軸２０を介して開閉できるように地中ケース１に連結している。
【００２６】
さらに、図に示す開閉蓋２は、手で持ち上げて開くことができるように、持上部２２を設けている。図１に示す開閉蓋は、上面に折り畳み自在にハンドル２２Ａを設けて持上部２２としている。図２ないし図４、及び図６に示す開閉蓋２は、スリット状の貫通孔２２Ｂを開口して握り部２２としている。さらに、図５に示す開閉蓋２は、中央部に設けた凹部２６に取手２２Ｃを設けて持上部２２としている。ただ、持上部は、以上の構造に特定せず、開閉扉を手で開くことができる他の全ての機構や手段が使用できる。
【００２７】
さらに、開閉蓋２は、図２と図５の鎖線で示すように、開閉蓋２を閉じた状態でホースリール３のホース４を地上に引き出す引出部２７を設けることもできる。開閉蓋２は、ホース４の引き出し方向の端部にホース４を案内する切欠部を設けて引出部２７とすることができる。このように、開閉蓋２に引出部２７を備える散水装置は、ホースリール３を地中ケース１に収納して開閉蓋２を閉じた状態で、ホース４を地上に引き出して使用できる。
【００２８】
ホースリール３は、図７の断面図に示すように、長いホース４を巻き取る巻取リール３１と、この巻取リール３１を回転できるように支承するフレーム３５とからなり、フレーム３５は、巻取リール３１の両端の回転軸３１Ａ、３１Ｂを回転できるように連結している一対の対向壁３５Ａと、対向壁３５Ａを下端で連結している連結フレーム３５Ｂとからなる。巻取リール３１は、両側に鍔３３を設けて、鍔３３の間の巻き取り軸３２にホース４を巻き取るようにしている。巻取リール３１は、一方の回転軸３１Ａに回転ハンドル３０を連結して、他方の回転軸３１Ｂにはホース４を連結している。ホース４を連結している回転軸３１Ｂは中空状で、水密構造で回転自在なカップリング３７を設けている。カップリング３７を設けている回転軸３１Ｂは、鍔３３の内側において、巻き取り軸３２から突出する連結部３８を連結しており、この連結部３８に、巻取リール３１に巻きとっているホース４を連結している。さらに、カップリング３７を設けている回転軸３１Ｂの外側には、カップリング３７に対して回転自在な連結部３９を連結しており、この連結部３９に水道８０の蛇口８２に連結される連結ホース４０を連結している。水道８０の蛇口８２から供給される水道水は、連結ホース４０と連結部３９を介して回転軸３１Ｂに供給され、回転軸３１Ｂのカップリング３７と連結部３８とを介して巻取リール３１に巻き取っているホース４に供給される。回転軸３１Ｂのカップリング３７は、水密構造で回転できるので、回転ハンドル３０で回転される巻取リール３１のホース４に水道水を供給できる。
【００２９】
巻取リール３１に巻き取られるホース４は、その先端に散水ノズル４１を連結している。巻取リール３１から引き出されたホース４は、散水ノズル４１を開いて散水する。
【００３０】
図１の開閉蓋２は、直交するようにベースプレート２１を連結している。ベースプレート２１は、図の鎖線で示すように、開閉蓋２を閉じる位置にあっては、地中ケース１の周壁１１の内面と平行な垂直姿勢となり、図の実線で示すように、開閉蓋２を垂直姿勢に開く状態では水平姿勢となる。
【００３１】
ベースプレート２１は、ホースリール３を固定している。ホースリール３は、連結フレーム３５Ｂを止ネジ３６などでベースプレート２１に固定している。ベースプレート２１は、垂直姿勢において内側にホースリール３を固定している。開閉蓋２が地中ケース１の開口部１０を閉塞する水平姿勢において、ベースプレート２１は垂直姿勢となって、ホースリール３を地中ケース１に収納する。開閉蓋２が垂直姿勢となって、地中ケース１の開口部１０を開く状態では、ベースプレート２１は、地中ケース１の開口部１０に水平姿勢に配置される。この状態で、ホースリール３はベースプレート２１の上面に固定される状態となって、地中ケース１から引き上げられて、地中ケース１の上に配置される。この状態で、ホースリール３からホース４を引き出し、また、ホースリール３にホース４を巻き取って、ホース４を使用する。
【００３２】
開閉蓋２を垂直姿勢に保持するために、ストッパ７を設けている。ストッパ７は、開閉蓋２を支持できる強度を有する金属製またはプラスチック製のロッドまたはパイプで、後端を開閉蓋２の先端部に傾動できるように連結し、先端を地中ケース１の周壁１１に係止して、開閉蓋２を垂直姿勢に保持する。地中ケース１は、ストッパ７を係止する凹部１８を周壁１１の上端部に設けている。ただ、ストッパは、後端を地中ケースの周壁の上部に傾動できるように連結し、先端を開閉蓋の先端部に係止して開閉蓋を垂直姿勢に保持することもできる。図に示すストッパ７は、地中ケース１の開口部１０を開閉蓋２で閉塞する状態では、地中ケース１の内部に斜めに収納している。ただ、ストッパは、伸縮できる構造とし、あるいは折り畳みできる構造として地中ケースの内部に収納することもできる。さらに、ストッパは、開閉蓋を垂直姿勢に開いた状態に保持できる他の全ての機構や手段が使用できる。
【００３３】
図１の散水装置は、ホースリール３の巻き取り軸３２を、開閉蓋２と地中ケース１とを連結している回転軸２０と直交する姿勢としてホースリール３をベースプレート２１に連結している。この散水装置は、ホースリールの横幅に応じてベースプレートを短くすることができる。ベースプレートを短くする構造は、これを収納する地中ケースを浅く設計することができる。散水装置は、図示しないが、ホースリールの巻き取り軸を、開閉蓋と地中ケースとを連結している回転軸と平行な姿勢として、ホースリールをベースプレートに連結することもできる。
【００３４】
図２と図３の散水装置は、開閉蓋２の内面にホースリール３の連結フレーム３５Ｂを固定している。この散水装置は、開閉蓋２が地中ケース１の開口部１０を閉塞する状態で、ホースリール３を地中ケース１に収納し、開閉蓋２を９０度回転して垂直姿勢に開く状態でストッパ７でこの姿勢に保持して、ホースリール３を開閉蓋２の側面に配置して、地中ケース１から引き出される。この散水装置は、開閉蓋２に直接にホースリール３を固定するので、構造を簡単にしてホースリール３を地中ケース１から引き出しできる。
【００３５】
さらに、図４の散水装置も、開閉蓋２の内面にホースリール３の連結フレーム３５Ｂを固定している。この散水装置は、開閉蓋２が地中ケース１の開口部１０を閉塞する状態で、ホースリール３を地中ケース１に収納し、開閉蓋２を１８０度回転して水平姿勢に開く状態では、ホースリール３が開閉蓋２の上面に配置されて、地中ケース１から引き出される。この散水装置も、開閉蓋２に直接にホースリール３を固定するので、構造を簡単にしてホースリール３を地中ケース１から引き出しできる。また、開閉蓋２を水平姿勢に開くので、これを垂直姿勢に保持するストッパ７も必要としない。
【００３６】
さらに、図５の散水装置は、開閉蓋２を水平姿勢に保持しながら、上下方向に移動できるようにガイド機構５を介して地中ケース１に連結している。ガイド機構５は、開閉蓋２の下面に垂直方向に突出する複数の支持ロッド５１と、この支持ロッド５１を上下に移動できるように挿通して地中ケース１の内面に固定しているガイドロッド５２とからなる。図５の散水装置は、開閉蓋２と地中ケース１の四隅部に支持ロッド５１とガイドロッド５２を固定している。開閉蓋２は、その下面にホースリール３を固定している。ホースリール３は、連結フレーム３５Ｂを開閉蓋２の下面に固定している。
【００３７】
この散水装置は、開閉蓋２が地中ケース１の開口部１０を閉塞する状態で、ホースリール３が地中ケース１に収納される。開閉蓋２が引き上げられて地中ケース１の開口部１０を開く状態では、ホースリール３は地中ケース１の内部から外部に引き上げられる。ホースリール３を地中ケース１の外部に引き上げる位置で開閉蓋２を停止するために、開閉蓋２の下面にはストッパ７を設けている。ストッパ７は、一端を開閉蓋２に連結して、下端を地中ケース１に係止して、開閉蓋２が、その自重とホースリール３の自重とで落下するのを停止する。
【００３８】
さらに、図６の散水装置は、地中ケース１の内部にホースリール３を固定している。ホースリール３は、フレーム３５の対向壁３５Ａの下端部をＬ字状に折曲すると共に、この折曲部を地中ケース１の底板１２に止ネジ３６で固定して、地中ケース１に収納している。さらに、ホースリール３は、一方の回転軸３１Ａに、歯車機構６を介して回転ハンドル３０を連結している。この歯車機構６は、回転軸３１Ａに連結される垂直歯車６１と、この垂直歯車６１に連結されて、回転ハンドル３０で駆動される水平歯車６２とを備える。図に示す垂直歯車６１と水平歯車６２は傘歯車で、各々の回転軸３１Ａ、６３を直交させる姿勢として、互いに噛み合って回転できるように配置している。垂直歯車６１は、回転軸３１Ａを中心として垂直面内で回転できるように中心軸３１Ａに固定している。水平歯車６２は、垂直姿勢で配置された回転軸６３を中心として水平面内で回転できるように配置している。この回転軸６３は、地中ケース１に固定された支持プレート６４を介して垂直姿勢に支承されており、下端に水平歯車６２を固定して、上端に回転ハンドル３０を連結している。この構造は、回転ハンドル３０を地中ケース１の開口部１０の近傍に配置できるので、地中ケース１の奥深くまで手を挿入することなく簡単に操作できる。
【００３９】
図６の散水装置は、ホースリール３を地中ケース１の底板１２に固定している。図１ないし図５に示す散水装置は、ホースリール３を開閉蓋２に固定しているので、開閉蓋２が破損すると使用できなくなる。開閉蓋が破損すると、図６に示すように、ホースリールを開閉蓋から外して、地中ケースの底板に固定することで、再び散水装置として使用できる。
【００４０】
ホースリール３は、左右を逆に固定して、右利きのユーザーと、左利きのユーザーの両方に便利に使用できる。このホースリール３は、ネジやナット（図示せず）を介して脱着できるように開閉蓋２や地中ケース１の底板１２に固定して、ユーザーが自分に便利な方向に固定できる。
【００４１】
図１ないし図４の散水装置は、ホースリール３に連結される蛇口８２を地中ケース１の内部に設けている。この散水装置は、ホースリール３に連結している連結ホース４０を地中ケース１の内部で蛇口８２に連結できる。地中ケース１の内部に設けている蛇口８２は、図３に示すように、複数に分岐する構造として、ホースリール３のみでなく、別の用途である洗濯機などにも連結できる。
【００４２】
図６は、地表に設けている水道の蛇口８２にホースリール３を連結する散水装置を示している。この図の散水装置は、地中ケース１の周壁１１を内側から外側に貫通するように貫通配管８３を設けている。貫通配管８３は、地中ケース１の内側端を連結ホース４０に連結して、地中ケース１の外側端を地中ケース１の外部に設けている上方を開口したサブケース８４に配置している。サブケース８４に露出している貫通配管８３は、可撓性の水道ホース８５を介して水道の蛇口８２に連結される。サブケース８４の開口部は、水道ホース８５を連結しない状態で、サブ蓋８６で閉塞する。
【符号の説明】
【００４３】
１…地中ケース
２…開閉蓋
３…ホースリール
４…ホース
５…ガイド機構
６…歯車機構
７…ストッパ
１０…開口部
１１…周壁
１２…底板
１３…水平プレート
１４…段差低部
１５…連結リブ
１６…連結穴
１７…支持リブ
１８…凹部
１９…水抜穴
２０…回転軸
２１…ベースプレート
２２…持上部                  ２２Ａ…ハンドル
２２Ｂ…貫通孔
２２Ｃ…取手
２３…蝶番
２５…突出部
２６…凹部
２７…引出部
３０…回転ハンドル
３１…巻取リール              ３１Ａ…回転軸
３１Ｂ…回転軸
３２…巻き取り軸
３３…鍔
３５…フレーム                ３５Ａ…対向壁
３５Ｂ…連結フレーム
３６…止ネジ
３７…カップリング
３８…連結部
３９…連結部
４０…連結ホース
４１…散水ノズル
５１…支持ロッド
５２…ガイドロッド
６１…垂直歯車
６２…水平歯車
６３…回転軸
６４…支持プレート
８０…水道
８１…開閉弁
８２…蛇口
８３…貫通配管
８４…サブケース
８５…水道ホース
８６…サブ蓋
９０…地面
９１…収納空間
【図１】
2011256679.tif 000003
【図２】
2011256679.tif 000004
【図３】
2011256679.tif 000005
【図４】
2011256679.tif 000006
【図５】
2011256679.tif 000007
【図６】
2011256679.tif 000008
【図７】
2011256679.tif 000009